(57)【特許請求の範囲】
【請求項１】
枠状に設けられる側枠と、
該側枠の一側縁に回動自在に設けられる前面枠と、
該前面枠に設けられる枠状の桟と、
該桟に着脱自在に取り付けられる遊技板と、
一側を軸として開閉可能に設けられ、前記遊技板の裏面と重なり合う機構板と、
前記遊技板の裏面側に設置され入賞装置と電気的に接続される遊技制御装置と、
遊技場に設置されたホールコンピューター側のケーブルを接続可能な接続部を備え、該接続部を介して前記ホールコンピューターに各種情報を出力可能な外部情報端子と、
を備えたパチンコ機において、
前記機構板に拘る情報を出力する第１外部情報端子が前記機構板の裏面側に配置されると共に、
前記遊技制御装置から出力された情報を出力する第２外部情報端子が前記遊技板の裏面側に配置され、
閉状態の前記機構板のうち前記第２外部情報端子と重なり合う部分に第２外部情報端子用開口部を開設することにより、該第２外部情報端子用開口部に前記第２外部情報端子を臨ませると共に、
該第２外部情報端子が前記閉状態の前記機構板における前記第２外部情報端子用開口部に突出し、前記機構板の裏面側に配置された前記第１外部情報端子の隣に前記遊技板の裏面側に配置された前記第２外部情報端子が配置されるよう構成されていることを特徴とするパチンコ機。
【発明の詳細な説明】
【０００１】
【産業上の利用分野】
本発明は、遊技場に設置されたホールコンピューターと電気的に接続するための外部情報端子を有するパチンコ機に関する。
【０００２】
【従来の技術】
通常、パチンコ機には外部情報端子が設けられており、その外部情報端子を介してパチンコ機からホールコンピューターに各種情報が出力される。この情報のうち、大当たり情報や大当たり終了情報などゲーム内容に関するものは、図４に示すように、遊技板Ａ側に設置された遊技制御装置Ｂから遊技板Ａに設置された中継基板Ｃを、さらに、その中継基板Ｃから機構板Ｄ側の中継基板Ｅに設けられた外部情報端子Ｆを経由して前記ホールコンピューターに出力していた。
【０００３】
【発明が解決しようとする課題】
ゲーム内容に関する情報を外部に出力するための外部情報端子Ｆを上記のように機構板Ｄの中継基板Ｅに設ける場合は、先ず、遊技板Ａ側の中継基板Ｃにリード線Ｇを接続し、そのリード線Ｇを一旦機構板Ｄの外に引き出して機構板Ｄ側の中継基板Ｅに接続する必要がある。周知のように機構板Ｄは、遊技板Ａの裏側にあって扉状に開閉操作されるため、その開閉操作によってリード線Ｇが傷み易い。また、パチンコ機には非常に多くのリード線が使用されているため誤配線の虞があり、また、リード線を接続する作業がパチンコ機組み立て作業の能率を悪化させる一因にもなっている、などの問題点があった。
【０００４】
【課題を解決するための手段】
枠状に設けられる側枠と、該側枠の一側縁に回動自在に設けられる前面枠と、該前面枠に設けられる枠状の桟と、該桟に着脱自在に取り付けられる遊技板と、一側を軸として開閉可能に設けられ、前記遊技板の裏面と重なり合う機構板と、前記遊技板の裏面側に設置され入賞装置と電気的に接続される遊技制御装置と、遊技場に設置されたホールコンピューター側のケーブルを接続可能な接続部を備え、該接続部を介して前記ホールコンピューターに各種情報を出力可能な外部情報端子と、を備えたパチンコ機において、
前記機構板に拘る情報を出力する第１外部情報端子が前記機構板の裏面側に配置されると共に、前記遊技制御装置から出力された情報を出力する第２外部情報端子が前記遊技板の裏面側に配置され、閉状態の前記機構板のうち前記第２外部情報端子と重なり合う部分に第２外部情報端子用開口部を開設することにより、該第２外部情報端子用開口部に前記第２外部情報端子を臨ませると共に、該第２外部情報端子が前記閉状態の前記機構板における前記第２外部情報端子用開口部に突出し、前記機構板の裏面側に配置された前記第１外部情報端子の隣に前記遊技板の裏面側に配置された前記第２外部情報端子が配置されるよう構成されているパチンコ機を提供する。
【０００５】
【作用】
遊技板の裏面側に配置した第２外部情報端子が機構板の第２外部情報端子用開口部から外部に臨むため、その第２外部情報端子を使ってホールコンピューターと遊技制御装置とを電気的に接続することができる。従って、ゲーム内容に関する情報を出力するために機構板の中継基板と遊技板の中継基板をリード線で接続する必要がない。
また、機構板側の第１外部情報端子の隣に遊技板側の第２外部情報端子を配置したため、ホールコンピューター側のケーブルがタコ足状に入り乱れるようなことがなく、従って、接続作業の能率が向上する。
【０００６】
【実施例】
以下に本発明の実施例を図面を参照しつつ説明する。なお、図１は要部を示すパチンコ機の斜視図、図２はパチンコ機の裏面図、図３はパチンコ機要部の縦断面図である。
パチンコ機Ｐは、側枠１の一側縁に扉状に回動自在に取り付けられる前面枠２と、該前面枠２裏面に固着される額縁状の桟枠３と、その桟枠３に着脱自在に取り付けられる遊技板４と、桟枠３の一側縁に蝶番金具５で回動自在に取り付けられると共に遊技板４の裏面に重合設置される機構板６と、から概略構成される。
【０００７】
機構板６の蝶番金具５側の上方角部には中継基板８ｋが形成されている。この中継基板８ｋには、ホールコンピュータに接続して球切れ情報や発射モータＭの停止命令など機構板６に拘る各種情報を入出力するための第１の外部情報端子７ｋが設けられている。また、機構板６には、前記中継基板８ｋと隣接する位置であって該中継基板８ｋと球タンク９の間に長方形状の凹段部１３を形成し、さらに該凹段部１３に第２外部情報端子用開口部たる端子用窓孔１０が開設されている。なお、凹段部１３は、後述するように、第２の外部情報端子７ｙの操作摘み１７，１７…を円滑に操作する領域を確保するためのものである。
【０００８】
一方、遊技板４には、図１，２に示すように、入賞球集合カバー１１が固着され、その入賞球集合カバー１１の背面に遊技制御装置１２が固着され、さらに、遊技制御装置１２と入賞装置（図示せず）などとの配線を中継する中継基板８ｙが設置されている。この中継基板８ｙには、一側上方に突出部１４が設けられており、その突出部１４に前記第２の外部情報端子７ｙが設置されている。該外部情報端子７ｙは、中継基板８ｙのコネクター１５にプリント配線で接続されており、そのコネクター１５を介して遊技制御装置１２に接続される。そして、遊技制御装置１２から出力される大当たり情報や大当たり終了情報などゲーム内容に関する情報を外部に中継する。なお、本実施例のように外部情報端子７ｙを中継基板８ｙと一体に設けるようにすれば、プリント配線の活用による配線の簡略化、及び、遊技板４への取付作業の迅速化、などの効果がある。
【０００９】
而して、遊技板４側の外部情報端子７ｙは、前記機構板６の端子用窓孔１０に対向位置するように設定されており、機構板６を遊技板４の裏面に重合させた状態で、図３に示すように、外部情報端子７ｙが端子用窓孔１０から外部に突出する。そして、外部情報端子７ｙの操作摘み１７を凹段部１３の領域を使って操作することにより、ホールコンピューターのケーブル１６を外部情報端子７ｙに接続することができる。なお、遊技板４側の外部情報端子７ｙは、機構板６側の外部情報端子７ｋに隣接した位置に配置されているため、ホールコンピューターのケーブル１６がタコ足状に入り乱れるようなことがなく、従って、接続作業の能率が向上する。
【００１０】
以上本発明を実施例について説明したが、もちろん本発明は上記実施例に限定されるものではない。
例えば、実施例では、外部情報端子７ｙを遊技板４の中継基板８ｙに一体に形成したが、外部情報端子７ｙを中継基板８ｙから切り離した独立状態にして機構板６側の外部情報端子７ｋに隣接した位置の遊技板４に設置してもよい。この場合、外部情報端子７ｙと中継基板８ｙをリード線で接続する必要があるが、その場合のリード線は、遊技板４と機構板６の間を跨がないため、図４に示したリード線Ｇのような問題はない。
【００１１】
【発明の効果】
本発明のパチンコ機は、遊技板側に設置される遊技制御装置のための第２外部情報端子を遊技板側に設置し、機構板に開設した第２外部情報端子用開口部にその第２外部情報端子を臨ませてホールコンピューター側のケーブルを接続するようにしたため、従来のパチンコ機に必須であった遊技板側の中継基板と機構板側の中継基板を繋ぐ図４のリード線Ｇが不要である。従って、機構板の開閉操作に伴う断線や誤配線といったリード線Ｇに固有のトラブルを完全に解消することができる。
また、機構板側の第１外部情報端子の隣に遊技板側の第２外部情報端子を配置したため、ホールコンピューター側のケーブルがタコ足状に入り乱れるようなことがなく、従って、接続作業の能率が向上する。
【図面の簡単な説明】
【図１】  パチンコ機の要部を示す斜視図である。
【図２】  パチンコ機の裏面図である。
【図３】  パチンコ機要部の縦断面図である。
【図４】  従来技術を説明するパチンコ機の一部裏面図である。
【符号の説明】
Ｐ  …パチンコ機
１  …側枠
２  …前面枠
３  …桟（桟枠）
４  …遊技板
６  …機構板
７ｋ…外部情報端子（第１外部情報端子）
７ｙ…外部情報端子（第２外部情報端子）
１０…端子用窓孔（第２外部情報端子用開口部）
１２…遊技制御装置
１６…ケーブル
【図１】
0004086923.tif 000002
【図２】
0004086923.tif 000003
【図３】
0004086923.tif 000004
【図４】
0004086923.tif 000005